(57)【要約】【課題】受信信号の品質を向上させることができるＣＤＭＡ受信装置及び方法を提供すること。【解決手段】本発明は、受信タイミングでマルチパス信号と拡散符号レプリカとの相関を取って基準逆拡散値を生成する基準相関器１０５と、前記受信タイミングに対して−Ｍ／Ｎチップ（Ｎは３以上の正の整数、ＭはＮ＞Ｍである正の整数）ずらした前記マルチパス信号と前記拡散符号レプリカとの相関を取ってアーリー逆拡散値を生成するアーリー相関器１０６と、前記受信タイミングに対して＋Ｍ／Ｎチップずらした前記マルチパス信号と前記拡散符号レプリカとの相関を取ってレイト逆拡散値を生成するレイト相関器１０７と、前記基準逆拡散値に基づいて受信ＳＩＲを検出する受信ＳＩＲ測定部１１０と、前記受信ＳＩＲに基づいてアーリー相関器１０６及びレイト相関器１０７の相関タイミングを決定するアーリーレイト相関タイミング決定部１１１と、を具備する。【選択図】　　　図１
2004080313.tif 000002
【特許請求の範囲】
【請求項１】
受信信号のマルチパス信号の受信タイミングに対してずれ量がないマルチパス信号と拡散符号レプリカとの相関を取ることにより基準逆拡散値を生成する第１の相関手段と、前記受信タイミングに対して−Ｍ／Ｎチップ（Ｎは３以上の正の整数、ＭはＮ＞Ｍである正の整数）ずらした前記マルチパス信号と前記拡散符号レプリカとの相関を取ることによりアーリー逆拡散値を生成する第２の相関手段と、前記受信タイミングに対して＋Ｍ／Ｎチップずらした前記マルチパス信号と前記拡散符号レプリカとの相関を取ることによりレイト逆拡散値を生成する第３の相関手段と、前記第１の相関手段からの前記基準逆拡散値に基づいて前記マルチパス信号の受信状態を検出する受信状態検出手段と、前記受信状態検出手段により検出された受信状態に基づいて前記第２及び第３の相関手段における前記マルチパス信号と前記拡散符号レプリカとの相関タイミングを決定するアーリーレイト相関タイミング決定手段と、を具備することを特徴とするＣＤＭＡ受信装置。
【請求項２】
前記受信信号のマルチパス信号の受信タイミングを検出するサーチ手段と、前記マルチパス信号を前記受信タイミングに合わせて遅延させる遅延手段と、前記遅延手段により遅延された前記マルチパス信号を１／Ｎチップ間隔で遅らせて出力する複数の出力端子を持つ信号シフト手段と、前記アーリー逆拡散値と前記レイト逆拡散値を各々を積分して前記アーリー逆拡散値の積分値と前記レイト逆拡散値の積分値とを算出する積分手段と、前記積分手段からの前記積分値に基づいて前記受信タイミングを調整するトラッキング判定手段と、を具備し、前記アーリーレイト相関タイミング決定手段は、前記信号シフト手段を制御して前記マルチパス信号を前記第１、第２及び第３の相関手段に与えるタイミングの前記受信タイミングに対するずれ量を制御することを特徴とする請求項１記載のＣＤＭＡ受信装置。
【請求項３】
前記受信状態検出手段は、前記第１の相関手段からの前記基準逆拡散値に基づいて受信ＳＩＲを測定する受信ＳＩＲ測定手段で構成され、前記アーリーレイト相関タイミング決定手段は、前記受信ＳＩＲ測定手段により測定された受信ＳＩＲと所定の閾値を比較して比較結果に基づいて前記第２及び第３の相関手段における前記マルチパス信号と前記拡散符号レプリカとの相関タイミングを決定することを特徴とする請求項１又は請求項２記載のＣＤＭＡ受信装置。
【請求項４】
前記トラッキング判定手段は、前記積分手段からの前記アーリー逆拡散値の積分値と前記レイト逆拡散値の積分値との差を求め、前記差と閾値とを比較して比較結果に基づいて前記受信タイミングを調整することを特徴とする請求項２又は請求項３記載のＣＤＭＡ受信装置。
【請求項５】
前記トラッキング判定手段は、前記第２及び第３の相関手段における前記マルチパス信号と前記拡散符号レプリカとの相関タイミングに基づいて前記差と比較する前記閾値を変化させる手段を具備することを特徴とする請求項４記載のＣＤＭＡ受信装置。
【請求項６】
前記受信状態検出手段は、前記第１の相関手段からの前記基準逆拡散値に基づいて受信レベルを測定する受信レベル測定手段で構成され、前記アーリーレイト相関タイミング決定手段は、前記受信レベル測定手段により測定された受信レベルと閾値を比較して比較結果に基づいて前記第２及び第３の相関手段における前記マルチパス信号と前記拡散符号レプリカとの相関タイミングを決定することを特徴とする請求項１又は請求項２記載のＣＤＭＡ受信装置。
【請求項７】
請求項１から請求項６のいずれかに記載のＣＤＭＡ受信装置を具備することを特徴とする移動局装置。
【請求項８】
請求項１から請求項６のいずれかに記載のＣＤＭＡ受信装置を具備することを特徴とする基地局装置。
【請求項９】
請求項７又は請求項８記載の移動局装置又は基地局装置を具備することを特徴とする移動体通信システム。
【請求項１０】
受信信号のマルチパス信号の受信タイミングに対してずれ量がないマルチパス信号と拡散符号レプリカとの相関を取ることにより基準逆拡散値を生成する第１の相関ステップと、前記受信タイミングに対して−Ｍ／Ｎチップ（Ｎは３以上の正の整数、ＭはＮ＞Ｍである正の整数）ずらした前記マルチパス信号と拡散符号レプリカとの相関を取ることによりアーリー逆拡散値を生成する第２の相関ステップと、前記受信タイミングに対して＋Ｍ／Ｎチップずらした前記マルチパス信号と拡散符号レプリカとの相関を取ることによりレイト逆拡散値を生成する第３の相関ステップと、前記第１の相関ステップにおける前記基準逆拡散値に基づいて前記マルチパス信号の受信状態を検出する受信状態検出ステップと、前記受信状態検出ステップにおいて検出された受信状態に基づいて前記第２及び第３の相関ステップにおける前記マルチパス信号と前記拡散符号レプリカとの相関タイミングを決定するアーリーレイト相関タイミング決定ステップと、を具備することを特徴とするＣＤＭＡ受信方法。
【発明の詳細な説明】
【０００１】
【発明の属する技術分野】
本発明は、ＣＤＭＡ方式を用いた移動体通信システムの基地局装置及び移動局装置に適用されるＣＤＭＡ受信装置及び方法に関する。
【０００２】
【従来の技術】
従来、ＣＤＭＡ受信装置としては、図５に示すものがある。図５は、受信信号の１つのマルチパス信号を逆拡散するＣＤＭＡ受信装置の構成を示すブロック図である。実際のＣＤＭＡ受信装置は、複数のパスに対して複数の受信ブロックを用意するが、ここでは、１つのパスの受信ブロックについて説明する。
【０００３】
図５に示すように、ＣＤＭＡ受信装置５００は、サーチ部５０１、拡散符号レプリカ発生部５０２、遅延部５０３、シフトレジスタ５０４、基準相関器５０５、アーリー（Ｅａｒｌｙ）相関器５０６、レイト（Ｌａｔｅ）相関器５０７、複数の積分器５０８、５０９及びトラッキング判定部５１０を具備している。
【０００４】
移動局装置がデータを送信し、基地局装置のＣＤＭＡ受信装置５００で受信する場合の例をとって、その動作を説明する。
【０００５】
ＣＤＭＡ受信装置５００において、サーチ部５０１は、受信信号のマルチパス信号の受信タイミングを測定して遅延部５０３に与える。拡散符号レプリカ発生部５０２は、逆拡散に用いる拡散符号レプリカを発生し、基準相関器５０５、アーリー相関器５０６及びレイト相関器５０７に与える。遅延部５０３は、サーチ部５０１からの受信タイミングに合わせてディジタル値に変換されたマルチパス信号（拡散変調信号）を遅延させ、シフトレジスタ５０４に与える。
【０００６】
シフトレジスタ５０４は、Ｍ／Ｎチップ間隔（Ｍ、Ｎは固定の正の整数、Ｎ＞Ｍ）で遅らせた複数の出力端子を持つもので、マルチパス信号を基準相関器５０５、アーリー相関器５０６及びレイト相関器５０７に与える。基準相関器５０５は、前記受信タイミングに遅延したマルチパス信号を拡散符号レプリカで逆拡散して、基準相関値を出力する。
【０００７】
一方、シフトレジスタ５０４は、基準受信タイミングに対して−Ｍ／Ｎチップずらしたマルチパス信号をアーリー相関器５０６に与え、アーリー相関器５０６はマルチパス信号を拡散符号レプリカで逆拡散してアーリー相関値を出力する。また、シフトレジスタ５０４は、基準受信タイミングに対して＋Ｍ／Ｎチップ受信データのタイミングをずらしマルチパス信号をレイト相関器５０７に与え、レイト相関器５０７はマルチパス信号を拡散符号レプリカで逆拡散してレイト相関値を出力する。
【０００８】
積分器５０８、５０９は、前記アーリー相関値及びレイト相関値の各々を所定の区間において同相加算し、さらに複数回だけ電力加算して、アーリー相関値の積分値及びレイト相関値の積分値を出力する。トラッキング判定部５１０は、前記アーリー相関値の積分値とレイト相関値の積分値の大小関係に基づいて最適な受信タイミングになるように新しい受信タイミングを決定して、遅延部５０３に与える。
【０００９】
【発明が解決しようとする課題】
しかしながら、従来のＣＤＭＡ装置においては、常にアーリー相関器５０６は基準受信タイミングに対して常に−Ｍ／Ｎチップのタイミングで逆拡散し、レイト相関器５０７は基準受信タイミングに対して常に＋Ｍ／Ｎチップのタイミングで逆拡散するため、ＳＮＲが高い時には図６（ａ）に示すようにマルチパス信号ＭＰ１のアーリー相関値ＡＬ１及びレイト相関値ＬＡ１がノイズＮＯに埋もれないが、ＳＮＲが低い時には図６（ｂ）に示すように、マルチパス信号ＭＰ２のアーリー相関値ＡＬ２及びレイト相関値ＬＡ２がノイズＮＯに埋もれてしまうから、アーリー相関値ＡＬ２の積分値とレイト相関値ＬＡ２の積分値が誤差を含んでしまうという問題がある。
【００１０】
また、従来のＣＤＭＡ装置においては、誤差を含んだアーリー相関値ＡＬ２の積分値とレイト相関値ＬＡ２の積分値を用いて受信タイミングを調整するため、受信タイミングの誤調整が生じるから、誤った同期タイミングで逆拡散が行われて受信品質が著しく劣化するという問題がある。
【００１１】
本発明は、かかる点に鑑みてなされたものであり、受信信号の品質を向上させることができるＣＤＭＡ受信装置及び方法を提供することを目的とする。
【００１２】
【課題を解決するための手段】
本発明のＣＤＭＡ受信装置は、受信信号のマルチパス信号の受信タイミングに対してずれ量がないマルチパス信号と拡散符号レプリカとの相関を取ることにより基準逆拡散値を生成する第１の相関手段と、前記受信タイミングに対して−Ｍ／Ｎチップ（Ｎは３以上の正の整数、ＭはＮ＞Ｍである正の整数）ずらした前記マルチパス信号と前記拡散符号レプリカとの相関を取ることによりアーリー逆拡散値を生成する第２の相関手段と、前記受信タイミングに対して＋Ｍ／Ｎチップずらした前記マルチパス信号と前記拡散符号レプリカとの相関を取ることによりレイト逆拡散値を生成する第３の相関手段と、前記第１の相関手段からの前記基準逆拡散値に基づいて前記マルチパス信号の受信状態を検出する受信状態検出手段と、前記受信状態検出手段により検出された受信状態に基づいて前記第２及び第３の相関手段における前記マルチパス信号と前記拡散符号レプリカとの相関タイミングを決定するアーリーレイト相関タイミング決定手段と、を具備する構成を採る。
【００１３】
この構成によれば、基準逆拡散値に応じた相関タイミングでアーリー逆拡散値及びレイト逆拡散値を求めることができるため、信頼度の高いアーリー逆拡散値及びレイト逆拡散値が得られるから、正確に受信タイミングのトラッキングを行うことができるから、受信信号の品質を向上させることができる。
【００１４】
本発明のＣＤＭＡ受信装置は、前記構成において、前記受信信号のマルチパス信号の受信タイミングを検出するサーチ手段と、前記マルチパス信号を前記受信タイミングに合わせて遅延させる遅延手段と、前記遅延手段により遅延された前記マルチパス信号を１／Ｎチップ間隔で遅らせて出力する複数の出力端子を持つ信号シフト手段と、前記アーリー逆拡散値と前記レイト逆拡散値を各々を積分して前記アーリー逆拡散値の積分値と前記レイト逆拡散値の積分値とを算出する積分手段と、前記積分手段からの前記積分値に基づいて前記受信タイミングを調整するトラッキング判定手段と、を具備し、前記アーリーレイト相関タイミング決定手段は、前記信号シフト手段を制御して前記マルチパス信号を前記第１、第２及び第３の相関手段に与えるタイミングの前記受信タイミングに対するずれ量を制御する構成を採る。
【００１５】
この構成によれば、基準逆拡散値に応じた相関タイミングでアーリー逆拡散値及びレイト逆拡散値を求めることができるため、信頼度の高いアーリー逆拡散値及びレイト逆拡散値が得られるから、正確に受信タイミングのトラッキングを行うことができるから、受信信号の品質を向上させることができる。
【００１６】
本発明のＣＤＭＡ受信装置は、前記構成において、前記受信状態検出手段が、前記第１の相関手段からの前記基準逆拡散値に基づいて受信ＳＩＲを測定する受信ＳＩＲ測定手段で構成され、前記アーリーレイト相関タイミング決定手段は、前記受信ＳＩＲ測定手段により測定された受信ＳＩＲと所定の閾値を比較して比較結果に基づいて前記第２及び第３の相関手段における前記マルチパス信号と前記拡散符号レプリカとの相関タイミングを決定する構成を採る。
【００１７】
この構成によれば、基準相関値の受信ＳＩＲ値に応じた相関タイミングでアーリー逆拡散値及びレイト逆拡散値を求めることができるため、信頼度の高いアーリー逆拡散値及びレイト逆拡散値が得られるから、正確に受信タイミングのトラッキングを行うことができるから、受信信号の品質を向上させることができる。
【００１８】
本発明のＣＤＭＡ受信装置は、前記構成において、前記トラッキング判定手段が、前記積分手段からの前記アーリー逆拡散値の積分値と前記レイト逆拡散値の積分値との差を求め、前記差と閾値とを比較して比較結果に基づいて前記受信タイミングを調整する構成を採る。
【００１９】
この構成によれば、前記効果に加えて、受信タイミングがマルチパス信号のわずかな歪で誤って変動しないようにすることができる。
【００２０】
本発明のＣＤＭＡ受信装置は、前記構成において、前記トラッキング判定手段が、前記第２及び第３の相関手段における前記マルチパス信号と前記拡散符号レプリカとの相関タイミングに基づいて前記差と比較する前記閾値を変化させる手段を具備する構成を採る。
【００２１】
この構成によれば、前記効果に加えて、アーリーレイト相関タイミング決定手段により決定されたマルチパス信号と拡散符号レプリカとの相関タイミングに基づいて、アーリー逆拡散値の積分値とレイト逆拡散値の積分値との差と比較する閾値を変化させるため、より信頼度の高いアーリー逆拡散値及びレイト逆拡散値が得られるから、さらに正確に受信タイミングのトラッキングを行うことができるので、受信信号の品質を向上させることができる。
【００２２】
本発明のＣＤＭＡ受信装置は、前記構成において、前記受信状態検出手段が、前記第１の相関手段からの前記基準逆拡散値に基づいて受信レベルを測定する受信レベル測定手段で構成され、前記アーリーレイト相関タイミング決定手段が、前記受信レベル測定手段により測定された受信レベルと閾値を比較して比較結果に基づいて前記第２及び第３の相関手段における前記マルチパス信号と前記拡散符号レプリカとの相関タイミングを決定する構成を採る。
【００２３】
この構成によれば、基準逆拡散値の受信レベルに応じた相関タイミングでアーリー逆拡散値及びレイト逆拡散値を求めることができるため、信頼度の高いアーリー逆拡散値及びレイト逆拡散値が得られるから、正確に受信タイミングのトラッキングを行うことができるので、受信信号の品質を向上させることができる。
【００２４】
本発明の移動局装置は、前記ＣＤＭＡ受信装置を具備する構成を採る。
【００２５】
この構成によれば、前記効果を有する移動局装置を得ることができる。
【００２６】
本発明の基地局装置は、前記ＣＤＭＡ受信装置を具備する構成を採る。
【００２７】
この構成によれば、前記効果を有する基地局装置を得ることができる。
【００２８】
本発明の移動体通信システムは、前記移動局装置又は前記基地局装置を具備する構成を採る。
【００２９】
本発明のＣＤＭＡ受信方法は、受信信号のマルチパス信号の受信タイミングに対してずれ量がないマルチパス信号と拡散符号レプリカとの相関を取ることにより基準逆拡散値を生成する第１の相関ステップと、前記受信タイミングに対して−Ｍ／Ｎチップ（Ｎは３以上の正の整数、ＭはＮ＞Ｍである正の整数）ずらした前記マルチパス信号と前記拡散符号レプリカとの相関を取ることによりアーリー逆拡散値を生成する第２の相関ステップと、前記受信タイミングに対して＋Ｍ／Ｎチップずらした前記マルチパス信号と前記拡散符号レプリカとの相関を取ることによりレイト逆拡散値を生成する第３の相関ステップと、前記第１の相関ステップにおける前記基準逆拡散値に基づいて前記マルチパス信号の受信状態を検出する受信状態検出ステップと、前記受信状態検出ステップにおいて検出された受信状態に基づいて前記第２及び第３の相関ステップにおける前記マルチパス信号と前記拡散符号レプリカとの相関タイミングを決定するアーリーレイト相関タイミング決定ステップと、を具備するようにした。
【００３０】
この方法によれば、基準逆拡散値に応じた相関タイミングでアーリー逆拡散値及びレイト逆拡散値を求めることができるため、信頼度の高いアーリー逆拡散値及びレイト逆拡散値が得られるから、正確に受信タイミングのトラッキングを行うことができるから、受信信号の品質を向上させることができる。
【００３１】
【発明の実施の形態】
本発明の骨子は、基準逆拡散値に応じた相関タイミングでアーリー逆拡散値及びレイト逆拡散値を求めることである。
【００３２】
以下、本発明の実施の形態について、図面を参照して詳細に説明する。
【００３３】
（実施の形態１）
図１は、本発明の実施の形態１に係るＣＤＭＡ受信装置の構成を示すブロック図である。
【００３４】
図１に示すＣＤＭＡ受信装置１００は、移動体通信システムの基地局又は移動局に用いられている。ＣＤＭＡ受信装置１００は、サーチ部１０１、拡散符号レプリカ発生部１０２、遅延部１０３、シフトレジスタ部１０４、基準相関器１０５、アーリー相関器１０６、レイト相関器１０７、複数の積分器１０８、１０９、受信ＳＩＲ測定部１１０、アーリーレイト相関タイミング決定部１１１及びトラッキング判定部１１２を具備している。
【００３５】
遅延部１０３の入力端子は、サーチ部１０１の出力端子に接続されている。シフトレジスタ部１０４の入力端子は、遅延部１０３の出力端子に接続されている。基準相関器１０５、アーリー相関器１０６及びレイト相関器１０７の入力端子は、拡散符号レプリカ発生部１０２及びシフトレジスタ部１０４の出力端子に接続されている。複数の積分器１０８、１０９の入力端子は、アーリー相関器１０６及びレイト相関器１０７の出力端子に接続されている。受信ＳＩＲ測定部１１０の入力端子は、基準相関器１０５の出力端子に接続されている。アーリーレイト相関タイミング決定部１１１の入力端子は、受信ＳＩＲ測定部１１０の出力端子に接続されている。アーリーレイト相関タイミング決定部１１１の出力端子は、シフトレジスタ部１０４の制御端子に接続されている。トラッキング判定部１１２の入力端子は、積分器１０８、１０９の出力端子に接続されている。トラッキング判定部１１２の出力端子は、遅延部１０３の制御端子に接続されている。
【００３６】
サーチ部１０１は、アンテナ（図示せず）で受信された受信信号のマルチパス信号（拡散変調信号）から初期受信タイミングを検出して遅延部１０３に与える。拡散符号レプリカ発生部１０２は、逆拡散に用いる拡散符号レプリカを発生し、基準相関器１０５、アーリー相関器１０６及びレイト相関器１０７に与える。遅延部１０３は、１つのマルチパス信号の受信タイミングと拡散レプリカコードとの同期タイミングが合うように拡散変調信号を遅延させてシフトレジスタ１０４に与える。
【００３７】
シフトレジスタ１０４は、遅延部１０３により遅延されたマルチパス信号を１／Ｎチップ間隔（Ｎは３以上の正の整数である）で遅らせた複数の出力端子を持つもので、マルチパス信号を基準相関器１０５、アーリー相関器１０６及びレイト相関器１０７に与える。
【００３８】
基準相関器１０５は、シフトレジスタ１０４からのマルチパス信号と、受信タイミングに同期した拡散符号レプリカとの相関を取って基準逆拡散値を生成して受信ＳＩＲ測定部１１０に与える。アーリー相関器１０６は、シフトレジスタ１０４からのマルチパス信号と、受信タイミングに対しＭ／Ｎチップ早めたタイミングで拡散符号レプリカとの相関を取ってアーリー逆拡散値を生成して積分器１０８に与える。レイト相関器１０７は、シフトレジスタ１０４からのマルチパス信号と、受信タイミングに対しＭ／Ｎチップ遅らせたタイミングで拡散符号レプリカと相関を取ってレイト逆拡散値を生成して積分器１０９に与える。
【００３９】
受信ＳＩＲ測定部１１０は、基準相関器１０５からの基準逆拡散値に基づいて受信ＳＩＲを測定し、測定した受信ＳＩＲをアーリーレイト相関タイミング決定部１１１に与える。アーリーレイト相関タイミング決定部１１１は、受信ＳＩＲ測定部１１０により測定された受信ＳＩＲに基づいてアーリー相関器１０６とレイト相関器１０７における相関タイミングを決定し、相関タイミング決定信号をシフトレジスタ１０４に与える。アーリーレイト相関タイミング決定部１１１は、相関タイミング決定信号をシフトレジスタ１０４に与えることにより、マルチパス信号をシフトレジスタ１０４から基準相関器１０５、アーリー相関器１０６及びレイト相関器１０７に与えるタイミング（相関タイミング）の基準の受信タイミングからのずれ量を制御する。シフトレジスタ１０４は、アーリーレイト相関タイミング決定部１１１からの相関タイミング決定信号に基づいてアーリー相関器１０６及びレイト相関器１０７における相関タイミングを制御する。
【００４０】
積分器１０８、１０９は、アーリー相関器１０６からのアーリー逆拡散値と、レイト相関器１０７からのレイト逆拡散値とを一定区間において同相加算し、さらに複数回だけ電力加算してアーリー逆拡散値の積分値とレイト逆拡散値の積分値とを生成してトラッキング判定部１１２に与える。
【００４１】
トラッキング判定部１１２は、積分器１０８、１０９からのアーリー逆拡散値の積分値とレイト逆拡散値の積分値の大小を比較しこの比較結果に基づいて、新しい受信タイミングを決定して受信タイミング決定信号を生成して遅延部１０３に与える。遅延部１０３は、トラッキング判定部１１２からの受信タイミング決定信号に基づいてマルチパス信号の受信タイミングを調整する。
【００４２】
ＣＤＭＡ受信装置１００においては、受信タイミングの異なる複数のマルチパス信号を処理できるようにマルチパス信号ごとに受信ブロックを複数個だけ並列に接続して構成し、これらの受信ブロックの出力をレイク（ＲＡＫＥ）合成して復号するようになっている。
【００４３】
次に、ＣＤＭＡ受信装置１００の動作をより具体的に説明する。但し、説明を分かり易くするため、１つの受信ブロックに着目し、１つのマルチパス信号に対する処理について説明する。また、例として、Ｎ＝４の場合について説明する。
【００４４】
遅延部１０３は、サーチ部１０１により求められた初期の受信タイミングに合わせてで遅延されたマルチパス信号をシフトレジスタ１０４に与える。
【００４５】
シフトレジスタ１０４は、本実施の形態では、図２に示すように、１／４チップ間隔で遅らせた５つの信号を出力することができるものとする。すなわち、シフトレジスタ１０４は、基準受信タイミングに対して、０チップ、±１／４チップ又は±１／２チップずれたマルチパス信号を出力できる。
【００４６】
シフトレジスタ１０４は、４つのフリップフロップ１０４−１〜１０４−４及び５つの出力端子１０４−１１〜１０４−１５を有している。出力端子１０４−１１は、フリップフロップ１０４−１の入力端子に接続されている。出力端子１０４−１２〜１０４−１５は、フリップフロップ１０４−１〜１０４−４の出力端子に接続されている。出力端子１０４−１１〜１０４−１５は、それぞれ−１／２チップ、−１／４チップ、０チップ、＋１／４チップ、＋１／２チップずれたマルチパス信号を出力する。
【００４７】
基準受信タイミングと同じ信号すなわち基準受信タイミングと０チップずれたマルチパス信号は、基準相関器１０５に与えられる。基準の受信タイミングに対し、−１／４チップ又は−１／２チップずれたマルチパス信号は、アーリー相関器１０６に与えられる。また、基準の受信タイミングに対し、＋１／４チップ又は＋１／２チップずれたマルチパス信号は、レイト相関器１０７に与えられる。基準相関器１０５、アーリー相関器１０６及びレイト相関器１０７は、それぞれマルチパス信号と拡散符号レプリカとの相関を取ることによって基準逆拡散値、アーリー逆拡散値及びレイト逆拡散値を生成する。
【００４８】
基準相関器１０５は、基準逆拡散値を受信ＳＩＲ測定部１１０及びチャネル変動補償部（図示せず）に与える。受信ＳＩＲ測定部１１０は、基準相関器１０５からの基準逆拡散値に基づいて受信ＳＩＲを測定し、測定した受信ＳＩＲをアーリーレイト相関タイミング決定部１１１に与える。
【００４９】
アーリーレイト相関タイミング決定部１１１は、受信ＳＩＲ測定部１１０により測定された受信ＳＩＲに基づいてアーリー相関器１０６及びレイト相関器１０７における相関タイミングを決定し、相関タイミング決定信号をシフトレジスタ１０４に与える。アーリーレイト相関タイミング決定部１１１は、例えば、受信ＳＩＲが所定の閾値以下である時に基準受信タイミングに対し±１／４チップのずれたタイミングをアーリー相関器１０６及びレイト相関器１０７における相関タイミングとし、また、受信ＳＩＲが所定の閾値以上である時に基準受信タイミングに対し±１／２チップのずれたタイミングをアーリー相関器１０６及びレイト相関器１０７における相関タイミングとする。
【００５０】
シフトレジスタ１０４は、アーリーレイト相関タイミング決定部１１１からの相関タイミング決定信号に基づいてアーリー相関器１０６及びレイト相関器１０７における相関タイミングを制御する。
【００５１】
積分器１０８は、アーリー相関器１０６からのアーリー逆拡散値を所定のシンボル数分だけ同相加算しその結果の電力値を求め、さらに複数回加算してアーリー逆拡散値の積分値を生成してトラッキング判定部１１２に与える。積分器１０９は、レイト相関器１０７からのレイト逆拡散値を所定のシンボル数分だけ同相加算しその結果の電力値を求め、さらに複数回加算してレイト逆拡散値の積分値を生成してトラッキング判定部１１２に与える。なお、積分器１０８、１０９は、同相加算を行わずに常に電力加算を行っても良い。
【００５２】
トラッキング判定部１１２は、積分器１０８からのアーリー逆拡散値の積分値とレイト逆拡散値の積分値とをを比較し、その比較結果に基づいて新しい受信タイミングを決定して受信タイミング決定信号を生成して遅延部１０３に与える。トラッキング判定部１１２は、具体的には、アーリー逆拡散値の積分値がレイト逆拡散値の積分値より大きい場合に受信タイミングを例えば１／４チップ早め、また、アーリー逆拡散値の積分値がレイト逆拡散値の積分値より小さい場合に受信タイミングを例えば１／４チップ遅らせたものを新しい受信タイミングとし、受信タイミング決定信号を生成して遅延部１０３に与える。この時に、受信タイミングがマルチパス信号のわずかな歪で誤って変動しないように、アーリー逆拡散値の積分値とレイト逆拡散値の積分値との差がある閾値以下である場合に、受信タイミングを変化させないでおく。
【００５３】
このように、本発明の実施の形態１においては、基準逆拡散値の受信ＳＩＲ値に応じた相関タイミングでアーリー逆拡散値及びレイト逆拡散値を求めることができるため、信頼度の高いアーリー逆拡散値及びレイト逆拡散値が得られるから、正確に受信タイミングのトラッキングを行うことができるから、受信信号の品質を向上させることができる。
【００５４】
（実施の形態２）
次に、本発明の実施の形態２について、図面を参照して詳細に説明する。図３は、本発明の実施の形態２に係るＣＤＭＡ受信装置の構成を示すブロック図である。本発明の実施の形態２においては、本発明の実施の形態１と同じ構成要素には同じ参照符号が付されている。
【００５５】
図３に示すように、本発明の実施の形態２に係るＣＤＭＡ受信装置３００は、本発明の実施の形態１にＣＤＭＡ受信装置１００において、トラッキング判定部１１２の代わりにトラッキング判定部３０１を具備している。
【００５６】
すなわち、本発明の実施の形態２に係るＣＤＭＡ受信装置３００は、サーチ部１０１、拡散符号レプリカ発生部１０２、遅延部１０３、シフトレジスタ部１０４、基準相関器１０５、アーリー相関器１０６、レイト相関器１０７、複数の積分器１０８、１０９、受信ＳＩＲ測定部１１０、アーリーレイト相関タイミング決定部１１１及びトラッキング判定部３０１を具備している。
【００５７】
トラッキング判定部３０１の入力端子は、積分器１０８，１０９の出力端子に接続されている。トラッキング判定部３０１の出力端子は、遅延部１０３の制御端子に接続されている。
【００５８】
トラッキング判定部１１２は、アーリー相関器１０６からのアーリー逆拡散値の積分値とレイト相関器１０７からのレイト逆拡散値の積分値との差を求め、前記差と閾値とを比較して比較結果に基づいて受信タイミングを調整する。また、トラッキング判定部１１２は、アーリーレイト相関タイミング決定部１１１により決定されたアーリー相関器１０６及びレイト相関器１０７におけるマルチパス信号と拡散符号レプリカとの相関タイミングに基づいて前記差と比較する前記閾値を変化させる手段を有している。
【００５９】
トラッキング判定部１１２は、具体的には、アーリー逆拡散値の積分値とレイト逆拡散値の積分値との差が閾値よりも大きい場合に受信タイミングを、例えば、１／４チップ早め、また、前記差が閾値より小さい場合に受信タイミングを、例えば、１／４チップ遅らせたものを新しい受信タイミングとし受信タイミング決定信号を生成して遅延部１０３に与える。この時に、トラッキング判定部１１２は、アーリー相関器１０６及びレイト相関器１０７における相関タイミングが基準受信タイミングより±１／４チップずれる場合には前記閾値をＡとし、かつ、アーリー相関器１０６及びレイト相関器１０７における相関タイミングが基準受信タイミングより±１／２チップずれる場合には前記閾値をＢ（Ｂ＞Ａ）とする。
【００６０】
このように、本発明の実施の形態２においては、本発明の実施の形態１の効果に加えて、アーリーレイト相関タイミング決定部１１１により決定されたアーリー相関器１０６及びレイト相関器１０７の相関タイミングに基づいて、アーリー逆拡散値の積分値とレイト逆拡散値の積分値との差と比較する前記閾値を変化させるため、より信頼度の高いアーリー逆拡散値及びレイト逆拡散値が得られるから、さらに正確に受信タイミングのトラッキングを行うことができるので、受信信号の品質を向上させることができる。
【００６１】
（実施の形態３）
次に、本発明の実施の形態３について、図面を参照して詳細に説明する。図４は、本発明の実施の形態３に係るＣＤＭＡ受信装置の構成を示すブロック図である。本発明の実施の形態３においては、本発明の実施の形態１と同じ構成要素には同じ参照符号が付されている。
【００６２】
図４に示すように、本発明の実施の形態３に係るＣＤＭＡ受信装置４００は、本発明の実施の形態１にＣＤＭＡ受信装置１００において、受信ＳＩＲ測定部１１０及びアーリーレイト相関タイミング決定部１１１の代わりに受信レベル測定部４０１及びアーリーレイト相関タイミング決定部４０２を具備している。
【００６３】
すなわち、本発明の実施の形態３に係るＣＤＭＡ受信装置４００は、サーチ部１０１、拡散符号レプリカ発生部１０２、遅延部１０３、シフトレジスタ部１０４、基準相関器１０５、アーリー相関器１０６、レイト相関器１０７、複数の積分器１０８、１０９、受信レベル測定部４０１、アーリーレイト相関タイミング決定部４０２及びトラッキング判定部１１２を具備している。
【００６４】
受信レベル測定部４０１は、基準相関器１０５からの基準逆拡散値に基づいて受信レベルを測定し、測定した受信レベルをアーリーレイト相関タイミング決定部４０２に与える。
【００６５】
アーリーレイト相関タイミング決定部４０２は、受信レベル測定部４０１により測定された受信レベルに基づいてアーリー相関器１０６及びレイト相関器１０７における相関タイミングを決定し、相関タイミング決定信号をシフトレジスタ１０４に与える。アーリーレイト相関タイミング決定部４０２は、例えば、受信レベルが所定の閾値以下である時に基準受信タイミングに対し±１／４チップのずれたタイミングをアーリー相関器１０６及びレイト相関器１０７における相関タイミングとし、また、受信レベルが所定の閾値以上である時に基準受信タイミングに対し±１／２チップのずれたタイミングをアーリー相関器１０６及びレイト相関器１０７における相関タイミングとする。
【００６６】
なお、本発明の実施の形態３は、本発明の実施の実施の形態２に適用することができる。
【００６７】
このように、本発明の実施の形態３においては、基準逆拡散値の受信レベルに応じた相関タイミングでアーリー逆拡散値及びレイト逆拡散値を求めることができるため、信頼度の高いアーリー逆拡散値及びレイト逆拡散値が得られるから、正確に受信タイミングのトラッキングを行うことができるので、受信信号の品質を向上させることができる。
【００６８】
なお、本発明は、移動局装置、基地局装置又は移動体通信システムに適用することができる。
【００６９】
【発明の効果】
以上説明したように、本発明によれば、基準逆拡散値に基づいた相関タイミングでアーリー逆拡散値及びレイト逆拡散値を求めることができるため、信頼度の高いアーリー逆拡散値及びレイト逆拡散値が得られるから、正確に受信タイミングのトラッキングを行うことができるので、受信信号の品質を向上させることができる。
【図面の簡単な説明】
【図１】本発明の実施の形態１に係るＣＤＭＡ受信装置の構成を示すブロック図
【図２】本発明の実施の形態１に係るＣＤＭＡ受信装置の要部の構成を示すブロック図
【図３】本発明の実施の形態２に係るＣＤＭＡ受信装置の構成を示すブロック図
【図４】本発明の実施の形態３に係るＣＤＭＡ受信装置の構成を示すブロック図
【図５】従来のＣＤＭＡ受信装置の構成を示すブロック図
【図６】従来のＣＤＭＡ受信装置の動作を説明するための図
【符号の説明】
１００、３００、４００　ＣＤＭＡ受信装置
１０１　サーチ部
１０２　拡散符号レプリカ発生部
１０３　遅延部
１０４　シフトレジスタ部
１０５　基準相関器
１０６　アーリー相関器
１０７　レイト相関器
１０８、１０９　積分器
１１０　受信ＳＩＲ測定部
１１１、４０２　アーリーレイト相関タイミング決定部
１１２、３０１　トラッキング判定部
４０１　受信レベル測定部
【図１】
2004080313.tif 000003
【図２】
2004080313.tif 000004
【図３】
2004080313.tif 000005
【図４】
2004080313.tif 000006
【図５】
2004080313.tif 000007
【図６】
2004080313.tif 000008